(57)【要約】      （修正有）【課題】  異なる内容液を収納した注出筒を具えた注射器状円筒容器を、トリガーを具えたスプレーガンに取着し、注出筒先端に噴霧ノズルを具えた二液噴霧器を提供する。【解決手段】  異なる内容液を収納した注出筒とプランジャーを具えた二つの円筒容器を、トリガー部材を具えたスプレーガンに取着し、各注出筒に噴霧ノズル部材を装着した二液噴霧器であって、スプレーガンは、円筒容器を支持する基台、該基台に摺動自在に取着されたトリガー部材と、プランジャーの後端に係合するプランジャー押圧部材と、トリガー部材に設けたラックとプランジャー押圧部材に設けたラックとを連結するピニオン部材とからなり、噴霧ノズル部材は、各注出筒に嵌挿される嵌着筒を設けたケーシングと、二つの噴霧ノズルを具えており、トリガー部材を操作することによって、プランジャー押圧部材を介してプランジャーを作動させ、噴霧ノズルより二液を同時に噴霧する。【選択図】図１
2007175636.tif 000002
【特許請求の範囲】
【請求項１】
異なる内容液を収納した注出筒とプランジャーを具えた二つの円筒容器を、トリガー部材を具えたスプレーガンに取着し、各注出筒に噴霧ノズル部材を装着した二液噴霧器であって、
スプレーガンは、円筒容器を支持する基台、該基台に摺動自在に取着されたトリガー部材と、プランジャーの後端に係合するプランジャー押圧部材と、トリガー部材に設けたラックとプランジャー押圧部材に設けたラックとを連結するピニオン部材とからなり、
噴霧ノズル部材は、各注出筒に嵌挿される嵌着筒を設けたケーシングと、二つの噴霧ノズルを具えており、
トリガー部材を操作することによって、プランジャー押圧部材を介してプランジャーを作動させ、噴霧ノズルより二液を同時に噴霧させるようにしたことを特徴とする二液噴霧器。
【請求項２】
異なる内容液を収納した注出筒とプランジャーを具えた二つの円筒容器を、トリガー部材を具えたスプレーガンに取着し、各注出筒に噴霧ノズル部材を装着した二液噴霧器であって、
スプレーガンは、円筒容器を支持する基台、該基台に摺動自在に取着されたトリガー部材と、プランジャーの後端に係合するプランジャー押圧部材と、トリガー部材に設けたラックとプランジャー押圧部材に設けたラックとを連結するピニオン部材とからなり、
噴霧ノズル部材は、各注出筒に嵌挿される嵌着筒と、混合室、および一つの噴霧ノズルを具えており、
トリガー部材を操作することによって、プランジャー押圧部材を介してプランジャーを作動させ、噴霧ノズルより二液を混合して噴霧させるようにしたことを特徴とする二液噴霧器。
【請求項３】
スプレーガンの基台は、円筒容器の注出筒を支持する前壁と、下面に把持杆を垂設し案内孔を穿設した底壁と、ピニオンを取着した軸を軸支する側壁を具えており、
トリガー部材は、摺動自在に取着された下面にトリガー杆を垂設し、両側にラックを設けた摺動板とを具えており、
プランジャー押圧部材は、後方に押板部を設け、側方に基台側壁の上端に摺動自在に取着され、内側にラックを設けた摺動部とを具えており、
ピニオン部材は、トリガー部材に設けたラックとプランジャー押圧部材に設けたラックとに噛合するピニオンを具えていることを特徴とする請求項１記載の二液噴霧器。
【発明の詳細な説明】
【技術分野】
【０００１】
本発明は、二液噴霧器、とくに二液を所要量、狭い範囲に、同時に噴霧できるようにした二液同時噴霧器、および二液を一定の割合で混合して噴霧できるようにした二液混合噴霧器に関するものである。
【背景技術】
【０００２】
二つの噴霧ノズルを並列した噴霧ヘッドと、該噴霧ヘッドに嵌挿され、異なる二種類の液体を別個に収納する二つの注射器状の円筒容器と各円筒容器の筒部に嵌挿されるプランジャーと、トリガーによって操作されるプランジャー規制手段とを具備した二液同時噴霧器は従来より知られている（例えば特許文献１参照）。
【特許文献１】特表２００１−５０２１９９号公報
【発明の開示】
【発明が解決しようとする課題】
【０００３】
しかしながら、上記特許文献１記載の従来の噴霧器は、注射器状の円筒容器、プランジャーを別個のハウジングに支持させ、噴霧ヘッド、プランジャー規制手段、トリガー等を二つのハウジングによって形成される取付部、軸部などによって支持されるようになっており、構造が複雑であるという問題があった。
また、噴霧器が医療用であって、二つの噴霧ノズルから噴霧された円錐状パターンが所定の距離離れた位置で重なり、二液を混合させるようにしているので、微妙な調整が必要で使用が簡単でないという問題があった。
【０００４】
本発明は、上記の問題を解決することを課題とし、異なる内容液を収納した注出筒を具えた注射器状円筒容器を、トリガーを具えたスプレーガンに取着し、注出筒先端に噴霧ノズルを具えたノズル部材を取着するようにした構成が簡単で、かつ操作が容易である二液噴霧器を提供することを目的とする。
【課題を解決するための手段】
【０００５】
本発明は、上記の課題を解決するため、二つの噴霧ノズルから同時に噴霧する二液噴霧器として、異なる内容液を収納した注出筒とプランジャーを具えた二つの円筒容器を、トリガー部材を具えたスプレーガンに取着し、各注出筒に噴霧ノズル部材を装着した二液噴霧器であって、スプレーガンは、円筒容器を支持する基台、該基台に摺動自在に取着されたトリガー部材と、プランジャーの後端に係合するプランジャー押圧部材と、トリガー部材に設けたラックとプランジャー押圧部材に設けたラックとを連結するピニオン部材とからなり、噴霧ノズル部材は、各注出筒に嵌挿される嵌着筒を設けたケーシングと、二つの噴霧ノズルを具えており、トリガー部材を操作することによって、プランジャー押圧部材を介してプランジャーを作動させ、噴霧ノズルより二液を同時に噴霧させるようにしたことを特徴とする構成を採用する。
【０００６】
一つの噴霧ノズルから二液を混合噴霧する二液噴霧器として、異なる内容液を収納した注出筒とプランジャーを具えた二つの円筒容器を、トリガー部材を具えたスプレーガンに取着し、各注出筒に噴霧ノズル部材を装着した二液噴霧器であって、スプレーガンは、円筒容器を支持する基台、該基台に摺動自在に取着されたトリガー部材と、プランジャーの後端に係合するプランジャー押圧部材と、トリガー部材に設けたラックとプランジャー押圧部材に設けたラックとを連結するピニオン部材とからなり、噴霧ノズル部材は、各注出筒に嵌挿される嵌着筒と、混合室、および一つの噴霧ノズルを具えており、トリガー部材を操作することによって、プランジャー押圧部材を介してプランジャーを作動させ、噴霧ノズルより二液を混合して噴霧させるようにしたことを特徴とする構成を採用する。
【０００７】
スプレーガンの具体的な実施例として、スプレーガンの基台は、円筒容器の注出筒を支持する前壁と、下面に把持杆を垂設し案内孔を穿設した底壁と、ピニオンを取着した軸を軸支する側壁を具えており、トリガー部材は、摺動自在に取着された下面にトリガー杆を垂設し、両側にラックを設けた摺動板とを具えており、プランジャー押圧部材は、後方に押板部を設け、側方に基台側壁の上端に摺動自在に取着され、内側にラックを設けた摺動部とを具えており、ピニオン部材は、トリガー部材に設けたラックとプランジャー押圧部材に設けたラックとに噛合するピニオンを具えていることを特徴とする構成を採用する。
【発明の効果】
【０００８】
異なる内容液を収納した注出筒とプランジャーを具えた筒状容器を、トリガー部材を具えたスプレーガンに取付け、注出筒先端に噴霧ノズル部材を装着しているので、トリガー部材を操作することによって、二液噴霧が容易にできるようになった。
【０００９】
筒状容器をスプレーガンの基台前壁と、プランジャー押圧部材で保持し、ラックとピニオンを介してトリガー部材を操作することによって、プランジャーを押圧するようにしているので、筒状容器の取付け、噴霧操作が簡単になった。
また、噴霧ノズル部材を変えることによって、二液同時噴霧、または二液混合噴霧ができるようになった。
【発明を実施するための最良の形態】
【００１０】
次に、本発明の二液噴霧器について、まず、同時噴霧器に係る実施例について、図面を参照して説明する。
図１において、Ａａ、Ａｂはそれぞれ異種の液体を収納した二つの注射器状の筒状容器、Ｂは筒状容器Ａａ、Ａｂの二つの注出筒に装着され、二液を噴霧する噴霧ノズル部材、Ｃは筒状容器Ａａ、Ａｂの二つを装着するスプレーガンである。
【００１１】
図１〜３に示すように、筒状容器Ａａ、Ａｂは、先端に注出筒１ａ、１ｂを設けた二つの円筒容器２ａ、２ｂと、それぞれの円筒容器２ａ、２ｂに嵌挿されるプランジャー３ａ、３ｂとから構成されている。
プランジャー３ａ、３ｂの端部には、前方に液押圧部５ａ、５ｂ、後方に押板６ａ、６ｂが形成されている。
【００１２】
図２に示すように、二液噴霧ノズル部材Ｂは、ケーシング１０と二つの噴霧ノズル１１ａ、１１ｂとを具えている。
ケーシング１０は、筒状容器Ａａ、Ａｂの注出筒１ａ、１ｂに装着する二つの嵌着筒１２ａ、１２ｂと、側周壁１３とからなっており、嵌着筒１２ａ、１２ｂの内面は、注出筒１ａ、１ｂに連通する流路１４となっている。
【００１３】
噴霧ノズル１１ａ、１１ｂの先端には、中央に噴出孔１５ａ、１５ｂを穿孔し、該噴出孔１５ａ、１５ｂに通じる噴出流路１６を設けたノズルチップが取着され、噴出流路１６は、流路１４に連通して注出筒１ａ、１ｂから送られた二液を、噴出孔１５ａ、１５ｂより噴霧されるようになっている。
【００１４】
図１、３に示すように、スプレーガンＣは、基台Ｃ１と、ピニオン部材Ｃ２と、トリガー部材Ｃ３と、プランジャー押圧部材Ｃ４とからなっている。
基台Ｃ１は、底壁２０と、底壁２０縁部から立設される前壁２１と後壁２２と二枚の側壁２３ａ、２３ｂとを具えている。
【００１５】
底壁２０の中央には、トリガー部材Ｃ３を案内する案内孔２５が穿設され、案内孔２５両側の所定位置には、案内突部２６ａ、２６ｂが立設されており、底壁２０下面の後壁２２側の所定位置に把持杆２７が垂設されている。
【００１６】
前壁２１の上部には、二つの筒状容器Ａａ、Ａｂの円筒容器２ａ、２ｂの先端部と係合する係合部２８が設けられており、係合部２８には、筒状容器Ａａ、Ａｂの注出筒１ａ、１ｂの外周と嵌合して筒状容器Ａａ、Ａｂを載置する切込み２９ａ、２９ｂが上端より穿設されている。
【００１７】
側壁２３ａ、２３ｂには、外周上端に、プランジャー押圧部材Ｃ４を案内する案内レール３０ａ、３０ｂが突設されており、壁面の所定位置には、ピニオン部材Ｃ２を基台Ｃ１内に回転可能に載置する軸受孔３１ａ、３１ｂが穿設されている。  
【００１８】
ピニオン部材Ｃ２は、両側のピニオン３５ａ、３５ｂと、両ピニオン３５ａ、３５ｂをつなぐシャフト３６と、両ピニオン３５ａ、３５ｂの外側に突出し、基台Ｃ１の側壁２３ａ、２３ｂの軸受孔３１ａ、３１ｂに回転可能に係合する軸部３７ａ、３７ｂとを具えている。
【００１９】
トリガー部材Ｃ３は、基台Ｃ１の底壁２０上面で摺動する摺動板４０と、摺動板４０下面に垂設され、底壁２０の案内孔２５を突き抜け外部に突出し、案内孔２５によりトリガー部材Ｃ３の可動範囲を案内されるトリガー杆４１とを具えている。
【００２０】
摺動板４０の上面側縁には、ピニオン部材Ｃ２のピニオン３５ａ、３５ｂ下部と係合する下ラック４２ａ、４２ｂが一定の長さで設けられている。
摺動板４０の所定位置には、基台Ｃ１の底壁２０の案内突部２６ａ、２６ｂと係合し、摺動板４０を案内する案内孔４３ａ、４３ｂが一定の長さで穿設されている。
【００２１】
プランジャー押圧部材Ｃ４は、押板部４５と、押板部４５の両側に内側後端が連設され、基台Ｃ１の側壁２３ａ、２３ｂ上部に摺動可能に係合する摺動部４６ａ、４６ｂとを具えている。
押板部４５の内側面には、筒状容器Ａａ、Ａｂのプランジャー３ａ、３ｂの押板６ａ、６ｂ外側面と係合して筒状容器Ａａ、Ａｂを載置する係合凹部４７が凹設されている。
【００２２】
摺動部４６ａ、４６ｂは、基台Ｃ１の側壁２３ａ、２３ｂ上端面に係合する上壁５０ａ、５０ｂと、上壁５０ａ、５０ｂの下面外側縁に垂設され、内側が側壁２３ａ、２３ｂの案内レール３０ａ、３０ｂ外側と係合する側壁５１ａ、５１ｂとを具えている。
【００２３】
側壁５１ａ、５１ｂ内側下端には、案内レール３０ａ、３０ｂの下部面と上部面が係合する係合突条５２ａ、５２ｂが設けられており、摺動部４６ａ、４６ｂが基台Ｃ１の側壁２３ａ、２３ｂ上部から抜け落ちないようになっている。
上壁５０ａ、５０ｂの下面内側縁には、ピニオン部材Ｃ２のピニオン３５ａ、３５ｂ上部と係合する上ラック５３ａ、５３ｂが、一定の長さで設けられている。
【００２４】
次に、本発明の二液噴霧器の使用態様と作用効果について説明する。
プランジャー３ａ、３ｂを装着した二つの円筒容器２ａ、２ｂに薬液等で異なる内容液が収納され、仮キャップが被嵌されて筒状容器Ａａ、Ａｂが形成される。
【００２５】
使用にあたって、まず、筒状容器Ａａ、Ａｂの注出筒１ａ、１ｂ外周を、スプレーガンＣの基台Ｃ１の前壁２１の係合部２８の切込み２９ａ、２９ｂに係合させ、円筒容器２ａ、２ｂを基台Ｃ１に載置するとともに、筒状容器Ａａ、Ａｂのプランジャー３ａ、３ｂの押板６ａに、スプレーガンＣのプランジャー押圧部材Ｃ４の押板部４５の係合凹部４７を係合させることで、二つの筒状容器Ａａ、ＡｂをスプレーガンＣに装着する。
【００２６】
次いで、筒状容器Ａａ、Ａｂの注出筒１ａ、１ｂに被蓋されているキャップを外して、注出筒１ａ、１ｂの先端に二液噴霧ノズル部材Ｂのケーシング１０の嵌着筒１２ａ、１２ｂを嵌着して、筒状容器Ａａ、Ａｂの先端に二液噴霧ノズル部材Ｂを装着することにより、本発明の二液噴霧器のセットが完了する。
【００２７】
噴霧にあたっては、図４に示すように、スプレーガンＣの基台Ｃ１の把持杆２７とトリガー部材Ｃ３のトリガー杆４１とを片手で挟持し、トリガー杆４１を引くと、基台Ｃ１の底壁２０上面でトリガー部材Ｃ３の摺動板４０を後進させる。
【００２８】
トリガー部材Ｃ３の摺動板４０の後進により、摺動板４０両側の下ラック４２ａ、４２ｂに係合したピニオン部材Ｃ２のピニオン３５ａ、３５ｂが基台Ｃ１内で回転する。
ピニオン３５ａ、３５ｂが回転することで、ピニオン３５ａ、３５ｂの上部に係合したプランジャー押圧部材Ｃ４の摺動部４６ａ、４６ｂの上ラック５３ａ、５３ｂにより、トリガー部材Ｃ３の下ラック４２ａ、４２ｂの後進とは反対に、プランジャー押圧部材Ｃ４を基台Ｃ１に対して前方向に摺動させる。
【００２９】
プランジャー押圧部材Ｃ４が基台Ｃ１に対して前進することにより、プランジャー押圧部材Ｃ４の押板部４５が筒状容器Ａａ、Ａｂのプランジャー３ａ、３ｂを前進させ、円筒容器２ａ、２ｂ内の内容液が、注出筒１ａ、１ｂより二液噴霧ノズル部材Ｂ内に送られ、噴出ノズル１１ａ、１１ｂの噴出孔１５ａ、１５ｂより二液が同時に噴霧される。
【００３０】
本発明の二液噴霧器は、スプレーガンＣのトリガー部材Ｃ３のトリガー杆４１を、基台Ｃに対して所望量引くことによって、所望量の内容液を噴霧できる。
【００３１】
本発明の二液噴霧器は、二液噴霧ノズル部材Ｂの噴出ノズル１１ａと１１ｂとの距離、または、噴出ノズル１１ａと１１ｂの噴出する角度を調整することで、二つの内容液の混合具合を調整して任意の個所に噴霧して付着させることができる。
【００３２】
内容物の噴霧が終わったときには、スプレーガンＣのプランジャー押圧部材Ｃ４を引いて基台Ｃ１に対して後進させると、ピニオン部材Ｃ２のピニオン３５ａ、３５ｂの回転によりトリガー部材Ｃ３を基台Ｃ１に対して前進させる。
【００３３】
スプレーガンＣのプランジャー押圧部材Ｃ４が基台Ｃ１に対して後進することによって、プランジャー押圧部材Ｃ４の押板部４５内側と、プランジャー３ａ、３ｂの押板６ａ、６ｂ外側との係合が外れる。
さらに、筒状容器Ａａ、Ａｂの注出筒１ａ、１ｂと基台Ｃ１の前壁２１の係合部２８の係合を取外すことにより、筒状容器Ａａ、Ａｂを引き出してスプレーガンＣから取外すことができ、新しい筒状容器Ａａ、Ａｂと取替えて使用することができる。
その際、使用後の筒状容器Ａａ、Ａｂから噴出ノズル部材Ｂを取外し、新しい筒状容器Ａａ、Ａｂに付け替えてもよいが、そのまま使用後の筒状容器Ａａ、Ａｂとともに廃棄してもよい。
【００３４】
本発明の二液噴霧器では、筒状容器Ａａ、Ａｂのそれぞれの構成部材の長さと、注出筒１ａ、１ｂの径が同じであれば、スプレーガンＣの基台Ｃ１の前壁２１の係合部２８、および、プランジャー押圧部材Ｃ４の押板部４５と係合させ、筒状容器Ａａ、ＡｂをスプレーガンＣに装着して使用することができるので、円筒容器２ａ、２ｂの径は同径でも、異径でも装着して使用できる。
円筒容器２ａ、２ｂの径を変えることによって、二液を同時に噴霧した時に、噴霧する内容液の比率を変えることができる。
【００３５】
次に、ノズル部材の変形例について説明する。
前記実施形態では、ノズル部材として、ケーシング１０と二つの噴霧ノズル１１ａ、１１ｂとを具えたノズル部材を用いたが、ノズル部材として、二液混合噴霧ノズルを用いた実施例について説明する。
ノズル部材以外は、実施形態と同一の構成であるので、同一の符号を付して説明を省略する。
【００３６】
図５において、Ｂａは噴霧ノズル部材であって、各円筒容器２ａ、２ｂの注出筒１ａ、１ｂに取着される嵌着筒６０を具えたケーシング６１と、一つの噴霧ノズル６２とからなっている。
ケーシング６１内には、注出筒１ａ、１ｂの流路に通じる混合室６３が、設けられている。
噴霧ノズル６２には、先端に噴出孔６４と、該噴出孔６４に通じる噴出流路６５を設けたノズルチップが取着されており、噴出流路６５は、流路を介して混合室６３に連通している。
【００３７】
本実施例の噴霧ノズル部材Ｂａを、注出筒１ａ、１ｂに取着し、把持杆２７とトリガー部材Ｃ３のトリガー杆４１を片手に把持して、トリガー杆４１を引くと、プランジャー３ａ、３ｂが前進し、噴霧ノズル部材Ｂａの噴出ノズル６２より混合された二液を噴霧することができる。
その他には、実施形態と同一の作用効果を得ることができる。
【産業上の利用可能性】
【００３８】
本発明は、異なる内容液を収納した二つの注射器状の筒状容器をスプレーガンに取着するとともに、筒状容器の注出筒に二液噴霧ノズルを装着することで、筒状容器の円筒容器内に嵌挿したプランジャーの押圧をスプレーガンのトリガーを介して操作するようにしたので、簡単な操作で、狭い範囲に、二液を混合噴霧できるようになった。
そのため、薬品の噴霧ばかりでなく、洗剤、化粧料等の噴霧にも広く利用できる。
【図面の簡単な説明】
【００３９】
【図１】本発明の二液噴霧器の説明図で、（ａ）は筒状容器の中心線における横断平面図、（ｂ）は図（ａ）のＡ−Ａ線における断面立面図である。
【図２】噴霧ノズル部材の拡大説明図で、（ａ）は正面図、（ｂ）は横断平面図である。
【図３】スプレーガンの説明図で、（ａ）は断面立面図、（ｂ）は図（ａ）のＡ−Ａ線において矢印の方向に視た側面図である。
【図４】噴霧器の作動時の説明図である。
【図５】別実施例の噴霧ノズル部材の説明図で、（ａ）は上面図、（ｂ）は断面平面図である。
【符号の説明】
【００４０】
Ａａ，ｂ    筒状容器
Ｂ、Ｂａ    噴霧ノズル部材
Ｃ          スプレーガン
Ｃ１        基台
Ｃ２        ピニオン部材
Ｃ３        トリガー部材
Ｃ４        プランジャー押圧部材
１ａ，ｂ    注出筒
２ａ，ｂ    円筒容器
３ａ，ｂ    プランジャー
５ａ，ｂ    液押圧部
６ａ，ｂ    押板
１０        ケーシング
１１ａ，ｂ  噴霧ノズル
１２ａ，ｂ  嵌着筒
１３        側周壁
１４        流路
１５ａ，ｂ  噴出孔
１６        噴出流路
２０        底壁
２１        前壁
２２        後壁
２３ａ，ｂ  側壁
２５        案内孔
２６ａ，ｂ  案内突部
２７        把持杆
２８        係合部
２９ａ，ｂ  切込み
３０ａ，ｂ  案内レール
３１ａ，ｂ  軸受孔
３５ａ，ｂ  ピニオン
３６        シャフト
３７ａ，ｂ  軸部
４０        摺動板
４１        トリガー杆
４２ａ，ｂ  下ラック
４３ａ，ｂ  案内孔
４５        押板部
４６ａ，ｂ  摺動部
４７        係合凹部
５０ａ，ｂ  上壁
５１ａ，ｂ  側壁
５２ａ，ｂ  係合突条
５３ａ，ｂ  上ラック
６０        嵌着筒
６１        ケーシング
６２        噴霧ノズル
６３        混合室
６４        噴出孔
６５        噴出流路
【図１】
2007175636.tif 000003
【図２】
2007175636.tif 000004
【図３】
2007175636.tif 000005
【図４】
2007175636.tif 000006
【図５】
2007175636.tif 000007